(57)【要約】【課題】所定の試験の進行度合いの概略を迅速に知ることができる火災受信機を提供することを目的とするものである。【解決手段】所定の試験の進行度合いを検出する進行度合い検出手段と、所定パーセント刻みで、バーグラフを表示するバーグラフ表示装置と、上記進行度合い検出手段が検出した進行度合いに応じて、所定の試験に必要な総時間の所定パーセント刻みで、上記バーグラフ表示装置にバーグラフを表示させる表示装置制御手段とを有する火災受信機である。【選択図】図１
2007286840.tif 000002
【特許請求の範囲】
【請求項１】
所定の試験の進行度合いを検出する進行度合い検出手段と；
所定パーセント刻みで、バーグラフを表示するバーグラフ表示装置と；
上記進行度合い検出手段が検出した進行度合いに応じて、所定の試験に必要な総時間の所定パーセント刻みで、上記バーグラフ表示装置にバーグラフを表示させる表示装置制御手段と；
を有することを特徴とする火災受信機。
【請求項２】
請求項１において、
上記所定の試験は、火災受信機における自動火災試験、予備電源試験、自己診断のうちの少なくとも１つであることを特徴とする火災受信機。
【請求項３】
請求項２において、
上記表示装置制御手段は、上記自動火災試験の試験中は、上記表示を、点滅表示させる手段であることを特徴とする火災受信機。
【発明の詳細な説明】
【技術分野】
【０００１】
本発明は、火災受信機に関する。
【背景技術】
【０００２】
従来、端末機器との間で伝送し、試験を行う火災受信機が知られている（たとえば、特許文献１参照）。  
【特許文献１】特開２００５−０３２０２５公報
【発明の開示】
【発明が解決しようとする課題】
【０００３】
従来の火災受信機では、自動火災試験、予備電源試験等、試験実行に時間がかかるものについては、ＬＣＤ画面表示上に、各種「試験中」を示す点滅表示が行われている。
【０００４】
しかし、上記従来例では、所定の試験の進行度合いの概略を迅速に知ることができないという問題がある。
【０００５】
本発明は、所定の試験の進行度合いの概略を迅速に知ることができる火災受信機を提供することを目的とするものである。
【課題を解決するための手段】
【０００６】
本発明は、所定の試験の進行度合いを検出する進行度合い検出手段と、所定パーセント刻みで、バーグラフを表示するバーグラフ表示装置と、上記進行度合い検出手段が検出した進行度合いに応じて、所定の試験に必要な総時間の所定パーセント刻みで、上記バーグラフ表示装置にバーグラフを表示させる表示装置制御手段とを有する火災受信機である。
【発明の効果】
【０００７】
本発明によれば、火災受信機における所定の試験の進行度合いの概略を迅速に知ることができるという効果を奏する。
【発明を実施するための最良の形態】
【０００８】
発明を実施するための最良の形態は、以下の実施例である。
【実施例１】
【０００９】
図１は、本発明の実施例１である火災受信機ＲＥ１を含む火災報知設備ＦＡ１のシステム構成を示すブロック図である。
【００１０】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１１】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１２】
図２は、火災受信機ＲＥ１を示すブロック図である。
【００１３】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１４】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを、各基板１０、２０、Ｂ３〜Ｂｎに電源供給する基板であり、また、ＯＰＯ基板Ｂ１、ＯＰＩＮ基板Ｂ２に対して、移報を制御する基板である。
【００１５】
ＯＰＯ基板Ｂ１は、出力用基板である。ＯＰＩＮ基板Ｂ２は、入力用基板である。ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００１６】
ＭＣＵ基板２０は、主制御ユニットの基板であり、表示部・メイン処理用の基板であり、内部にＲＯＭ、ＲＡＭを有し、メモリカードＭＣ１が挿入、接続され、スロットＳＬ１が設けられている。
【００１７】
スロットＳＬ１は、メモリカードＭＣ１を着脱するスロットである。
【００１８】
メモリカードＭＣ１は、データベースまたは履歴リストとしてのイベント情報を格納するメモリカードであり、たとえば、コンパクトフラッシュ（登録商標）カードで構成されている。
【００１９】
インバータＩＮＶ１は、ＬＣＤ３０のバックライトを駆動する電源を制御するものである。ＣＴＵ基板Ｂ６〜Ｂｎは、端末と接続する伝送基板であり、２系統分の伝送線を制御する。
【００２０】
ＡＣ／ＤＣ電源ＡＣ／ＤＣは、商用交流電源ＡＣ１００Ｖを所定の直流電圧、ＤＣ２４Ｖの電源電圧に変換し、ＰＳＵ基板１０に出力するものである。
【００２１】
予備電源ＢＴとしてのバッテリは、ＡＣ１００Ｖによって、ＰＳＵ基板１０、トランス、充電回路を介して、常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００２２】
つまり、ＰＳＵ基板１０は、各部（各基板）に電源を供給するための電源部としてＡＣ／ＤＣ電源ＡＣ／ＤＣ及び予備電源ＢＴが設けられ、また、各部に供給する電源を切り替えるリレーが設けられ、通常時は、リレー（不図示）の接点がＡＣ／ＤＣ電源ＡＣ／ＤＣ側に接続され、ＡＣ１００Ｖの停電時には、リレーの接点が予備電源ＢＴ側に接続される。
【００２３】
なお、図２に示すように、ＰＳＵ基板１０の電源部（ＡＣ／ＤＣ電源ＡＣ／ＤＣ及び予備電源ＢＴ）からの電源電圧ＤＣ２４Ｖは、電源線を介して、各基板１０、２０、Ｂ３〜Ｂｎに電源供給される。
【００２４】
ここで、ＭＣＵ基板２０、ＮＩＵ基板Ｂ５、ＣＴＵ基板Ｂ６〜Ｂｎには、電源部（不図示）が設けられ、ＰＳＵ基板１０からの電源電圧ＤＣ２４Ｖは、各電源部に電源供給され、各電源部が必要な電源電圧（ＤＣ２４Ｖ、ＤＣ５Ｖ、等）を生成し、内部回路等へ電源供給する。
【００２５】
また、ＰＳＵ基板１０、ＭＣＵ基板２０、ＮＩＵ基板Ｂ５、ＣＴＵ基板Ｂ６〜Ｂｎは、上記電源部の他に、Ａ／Ｄ変換部、ＲＯＭ、ＲＡＭを内部に有するマイコン（ＣＰＵ）が搭載されている。
【００２６】
このために、ＰＳＵ基板１０、ＭＣＵ基板２０、ＮＩＵ基板Ｂ５、ＣＴＵ基板Ｂ６〜Ｂｎは、各電源部から供給される必要な電源電圧（ＤＣ２４Ｖ、ＤＣ５Ｖ、等）を既知の抵抗分割回路等によって各マイコンに取り込んで、自己の電源電圧値を計測して、ＲＡＭに格納することができる。
【００２７】
次に、火災受信機ＲＥ１が行う各種試験について説明する。
【００２８】
自動火災試験は、伝送線に接続されている端末（例えば、図１の感知器ＳＥ１〜ＳＥ５、中継器Ｃ１〜Ｃ８）の機能が正常であるか否かを確認する試験であり、火災受信機ＲＥ１（ＭＣＵ基板２０）に設けられているタイマによって、定期的（例えば、1週間毎）に自動実施される。
【００２９】
タイマが１週間をカウントすると、ＭＣＵ基板２０は、メモリカードＭＣ１またはＲＡＭに格納されている端末のアドレスを参照し、各端末のアドレスを付与した試験コマンドを送信する信号伝送を行う。上記アドレスの端末が、試験コマンドを受信し、内部回路の機能試験を行って試験結果を返送する。ＭＣＵ基板２０が、この試験結果を受信し、ＬＣＤ３０上に表示する。このようにして、自動火災試験が実施される。
【００３０】
予備電源試験は、予備電源ＢＴの電源残量（電圧値）を所定時間（例えば、２０秒間）確認する試験であり、火災受信機ＲＥ１（ＬＣＤ３０）に設けられている予備電源試験スイッチ（不図示）を操作することによって実施される。
【００３１】
予備電源試験スイッチ（不図示）の操作入力によって、ＭＣＵ基板２０は、ＰＳＵ基板２０に対して、図２に示すシリアル通信線を介して、信号伝送によって、予備電源試験命令を送信する。ＰＳＵ基板２０のマイコンは、予備電源試験命令を受信し、上記リレー（不図示）の接点をＡＣ／ＤＣ電源ＡＣ／ＤＣ側から、予備電源ＢＴ側に切り替え、電源電圧ＤＣ２４Ｖを予備電源ＢＴから各部（各基板）に供給する状態にする。この状態で、ＰＳＵ基板２０のマイコンは、予備電源電圧検出回路（不図示）によって、予備電源ＢＴの電圧値を取り込み、図２に示すシリアル通信線を介して、信号伝送によって、試験結果（予備電源ＢＴの電圧値）を返送する。この返送は、所定時間（たとえば、２０秒間）行われる。ＭＣＵ基板２０がこの試験結果を受信し、ＬＣＤ３０上に表示する。このようにして、予備電源試験が実施される。
【００３２】
自己診断試験は、ＣＴＵ基板Ｂ６〜Ｂｎの電源電圧値を確認する試験であり、火災受信機ＲＥ１（ＬＣＤ３０）に設けられている自己診断試験スイッチ（不図示）を操作することによって実施される。
【００３３】
自己診断試験スイッチ（不図示）の操作入力によって、ＭＣＵ基板２０は、メモリカードＭＣ１またはＲＡＭに格納されているＣＴＵ基板Ｂ６〜Ｂｎのアドレスを参照し、各ＣＴＵ基板Ｂ６〜Ｂｎのアドレスを付与した試験命令を送信する信号伝送を行う。
【００３４】
上記アドレスのＣＴＵ基板Ｂ６〜Ｂｎ（のマイコン）が、試験命令を受信し、自己の電源電圧値を取り込み、図２に示すシリアル通信線を介して、信号伝送によって、試験結果（電源電圧値）を返送する。ＭＣＵ基板２０が、この試験結果を受信し、ＬＣＤ３０上に表示する。このようにして、自己診断試験が実施される。
【００３５】
ＭＣＵ基板２０は、各試験を行い、各種試験を行う際に、総試験時間（試験の総合計時間）を算出し、試験時間の経過に応じて、試験の進行度合いをバーグラフで表示する。したがって、各試験の進行度合いを確認することができる。上記試験の内容は、自動火災試験と、予備電源試験と、自己診断試験とである。各試験の内容に応じて、総試験時間を算出する。
【００３６】
火災受信機ＲＥ１は、試験等の進行度合いを、ＬＣＤ３０に、バーグラフで表示し、しかも、総試験時間の１０％単位で表示し、１００％まで表示可能である。
【００３７】
図３は、実施例１において、試験進行度合いを示すバーグラフの表示例を示す図である。
【００３８】
なお、図３の各表示画面の右上に記載されている「終了」は、各試験を強制終了する場合、または、表示画面を消去する場合に使用するソフトスイッチである。
【００３９】
自動火災試験の進行度合いを示すバーグラフＢＧ１は、端末を順次、自動火災試験する場合に、全ての端末を自動火災試験し終わる時間のうちのどの程度の時間が経過したかを示すバーグラフＢＧ１である。つまり、自動火災試験すべき端末の数×自動火災試験に必要な単位時間で、総試験時間を求め、これを１０分割する。総試験時間の１０％の時間が経過する毎に、バーグラフＢＧ１の表示を１ブロック増やし、１０ブロックを表示すると、１００％表示（終了表示）とする。
【００４０】
つまり、自動火災試験の進行度合いを表示するバーグラフＢＧ１のブロック数は１０であり、そして、｛（試験済みアドレスの数）／（試験すべきアドレスの総数）｝×（総試験時間）／１０が経過すると、表示すべきブロックが１つ増える。ただし、小数点以下を切り捨てる。なお、上記式は、「総試験時間」を省略しても、適用することができる。
【００４１】
予備電源試験の進行度合いを示すバーグラフＢＧ２は、予備電源試験時間２０秒と予備電源に切り替えるリレーの制御時間とを加算し、この加算した時間を１０分割した時間を、１ブロック表示に割り当てる。表示方法は、自動火災試験と同じである。
【００４２】
つまり、予備電源試験の進行度合いを表示するバーグラフＢＧ２のブロック数は１０であり、そして、｛予備電源試験時間２０秒＋（予備電源に切り替えるリレーの制御時間）｝／１０が経過すると、表示すべきブロックが１つ増える。ただし、小数点以下を切り捨てる。
【００４３】
自己診断試験の進行度合いを示すバーグラフＢＧ３は、ＣＴＵ基板Ｂ６〜Ｂｎの電源電圧のチェックに必要な総時間を、基板の接続状態毎に計算し、これを合計して、総試験時間を求める。この求めた総試験時間を１０分割した時間を、１ブロック表示に割り当てる。ただし、小数点以下を切り捨てる。
【００４４】
自己診断試験におけるバーグラフＢＧ３の表示方法は、自動火災試験における表示方法と同じである。
【００４５】
また、各試験を実行中は、試験が実行中であることを示すために、バーグラフＢＧ１、ＢＧ２、ＢＧ３を点滅表示し、試験が終了すると、その試験結果をプリントする。
【００４６】
つまり、ＭＣＵ基板２０は、所定の試験の進行度合いを検出する進行度合い検出手段の例である。ＬＣＤ３０は、所定パーセント刻みで、バーグラフを表示するバーグラフ表示装置の例である。ＭＣＵ基板２０は、進行度合い検出手段が検出した進行度合いに応じて、所定の試験に必要な総時間の所定パーセント刻みで、上記バーグラフ表示装置にバーグラフを表示させる表示装置制御手段の例である。
【００４７】
次に、上記実施例の具体的な動作について説明する。
【００４８】
図４は、実施例１における自動火災試験の動作と予備電源試験の動作とを示すフローチャートである。
【００４９】
自動火災試験する場合、Ｓ１で、ＭＣＵ基板２０は、自動火災試験の対象である端末のアドレス数をメモリカードＭＣ１またはＲＡＭから検索し、Ｓ２で、この検索されたアドレス数を合計し、この合計値を１０で割る。Ｓ３で、この１０で割った数を、バーグラフＢＧ１の１ブロック当たりのアドレス数とする。
【００５０】
そして、Ｓ３で、試験の進行度合いを表示するバーグラフＢＧ１を表示し、自動火災試験を開始する。この段階では、試験が開始されたばかりであり、０％の試験が完了した状態であるので、バーグラフＢＧ１のブロックは、どれも表示されていない。
【００５１】
Ｓ４で、１ブロック分のアドレス数に対応する試験が完了すると、バーグラフＢＧ１のうちで表示すべきブロック数を１つとして表示する。
【００５２】
次に、２ブロック分のアドレス数に対応する試験が完了すると、Ｓ５で、バーグラフＢＧ１のうちで表示すべきブロック数を２ブロックとして、バーグラフＢＧ１を表示する。
【００５３】
そして、１０ブロック分のアドレス数に対応する試験が完了すると、Ｓ１１で、バーグラフＢＧ１のうちで表示すべきブロック数を１０として、バーグラフＢＧ１を表示する。その後、Ｓ１２で、自動火災試験が終了したことを表示する。
【００５４】
上記のように、このフローチャートに記載されている自動火災試験では、総試験時間を算出せずに、試験すべきアドレスの総数を求め、それを１０分割した試験すべきアドレス数を１ブロック分の表示に割り当て、各ブロック分のアドレス数に対応する試験が完了すると、バーグラフＧ１の各ブロックを表示する。これによって、総試験時間を算出する必要がなく、バーグラフを簡便に表示することができる。
【００５５】
次に、予備電源の試験について説明する。
【００５６】
Ｓ２１で、ＭＣＵ基板２０は、予備電源に関する１ブロック分の試験時間を算出し、つまり、メモリカードＭＣ１内に記憶されている、「予備電源試験時間２０秒」と「リレー制御時間（たとえば、１０秒）」とを加算して、上記算出値を読み出す。
【００５７】
そして、Ｓ２２で、試験の進行度合いを表示するバーグラフＢＧ２を表示し、予備電源試験を開始する。この段階では、試験が開始されたばかりであり、０％の試験が完了した状態であるので、バーグラフＢＧ２のブロックは、どれも表示されていない。
【００５８】
１ブロック分の試験時間が完了すると、Ｓ２３で、バーグラフＢＧ２の１ブロックを表示する。２ブロック分の試験時間が完了すると、Ｓ２４で、バーグラフＢＧ２の２ブロックを表示する。１０ブロック分の試験時間が完了すると、Ｓ３１で、バーグラフＢＧ２の１０ブロックを表示する。そして、Ｓ３２で、予備電源試験が終了したことを表示し、試験を終了する。
【００５９】
次に、火災受信機ＲＥ１における自己診断の動作について説明する。
【００６０】
図５は、火災受信機ＲＥ１における自己診断の動作を示すフローチャートである。
【００６１】
まず、Ｓ４１で、ＭＣＵ基板２０は、自己診断の試験対象であるＣＴＵ基板Ｂ６〜Ｂｎの数を、メモリカードＭＣ１またはＲＡＭから検索する。
【００６２】
そして、Ｓ４２で、自己診断の進行度合いを表示するバーグラフＢＧ３を表示し、自己診断を開始する。この段階では、自己診断が開始されたばかりであり、０％の試験が完了した状態であるので、バーグラフＢＧ３のブロックは、どれも表示されていない。
【００６３】
Ｓ４３で、この検索されたＣＴＵ基板の数に、メモリカードＭＣ１に格納されているＣＴＵ基板の１つを自己診断するに必要な時間をかけ、これを１０で割った時間が、バーグラフＢＧ３の１ブロックを表示する分に対応する時間である。そして、Ｓ４４で、第１ブロックに対応する時間の自己診断が完了すると、バーグラフＢＧ３の第１ブロックを表示する。
【００６４】
Ｓ４５で、第２ブロックに対応する時間の自己診断が完了すると、バーグラフＢＧ３の第１、２ブロックを表示する。
【００６５】
Ｓ５１で、第１０ブロックに対応する時間の自己診断が完了すると、バーグラフＢＧ３の第１〜１０ブロックを表示する。つまり、上記動作を繰り返し、１０ブロック分の試験に対応するＣＴＵ基板の診断が完了したので、１０ブロックのバーグラフＢＧ３を表示する。そして、Ｓ５２で、自己診断が終了したことを表示する。
【００６６】
なお、自動火災試験と同様に、{試験済みのＣＴＵ基板（のアドレス数）／試験すべきＣＴＵ基板（のアドレス数）}／１０を１ブロックの表示に割り当て、各ブロック分のアドレス数に対応する試験が完了すると、バーグラフＧ３の各ブロックを表示するようにしてもよい。
【００６７】
上記実施例によれば、所定の試験の進行度合いの概略を迅速に知ることができ、したがって、メンテナンス者の作業効率がアップする。なお、バーグラフ表示の更新がなされない異常状態のときには、そのバーグラフの先端ブロック付近に対応した箇所が異常ではないかとの概略の目安をつけることができる。
【００６８】
上記実施例における各種試験は、自動火災試験、予備電源試験及び自己診断試験であるが、その他の試験を、上記実施例において実行するようにしてもよい。また、上記各種試験の内容は、上記実施例には限定されず、上記試験内容に追加内容が含まれている試験であってもよい。
【図面の簡単な説明】
【００６９】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１において、試験進行度合いを示すバーグラフの表示例を示す図である。
【図４】実施例１における自動火災試験の動作と予備電源試験の動作とを示すフローチャートである。
【図５】火災受信機ＲＥ１における自己診断の動作を示すフローチャートである。
【符号の説明】
【００７０】
ＦＡ１…火災報知設備、
ＲＥ１…火災受信機、
２０…ＭＣＵ基板、
３０…ＬＣＤ。
【図１】
2007286840.tif 000003
【図２】
2007286840.tif 000004
【図３】
2007286840.tif 000005
【図４】
2007286840.tif 000006
【図５】
2007286840.tif 000007